(57)【要約】【課題】  簡単な構造で、印刷物や布などのサインを立てた状態で表示可能にし、かつ汚れにくいサイン立てを提供する。【解決手段】  サイン立て１は、大略的に矩形板状の表示部材２と、角柱状の支持部材３とからなる。表示部２は、アクリル樹脂の透明な矩形板を二つ折りした状態で、二つ折り部２ａが上端となるように立てて用いられる。支持部材３は、表示部材２の下端部２ｂに接合され、表示部材２を立てた状態で安定に支持する。表示部材２は、折り曲げた内部で印刷物や布などのサインを保持するので、汚れにくくすることができる。【選択図】図１
2016188928.tif 000002
【特許請求の範囲】
【請求項１】
透明な矩形板を二つ折りした状態で、二つ折り部が上端となるように立てて用いられ、折り曲げた内部で表示すべきサインを保持する表示部材と、
表示部材を立てた状態で下端側を支持する支持部材と、
からなることを特徴とするサイン立て。
【請求項２】
前記表示部材は、折り曲げた状態で内部となる面に、前記サインに関連する表示を有する、
ことを特徴とする請求項１記載のサイン立て。
【請求項３】
前記表示部材の前記内面に有する表示は、下地としての布目または木目の印刷、または金属箔の転写で形成される、
ことを特徴とする請求項２記載のサイン立て。
【発明の詳細な説明】
【技術分野】
【０００１】
本発明は、印刷物や布などのサインを立てた状態で表示可能にするサイン立てに関する。
【背景技術】
【０００２】
従来から、各種食堂などのテーブル上では、カード立てでメニューが表示されている（たとえば、非特許文献１参照）。このカード立ては、透明なプラスチック板を、上端で二つ折りした表示部と、表示部の下端で外側に直角に折曲げた支持部とで、側面形状が逆Ｔ字状になっており、表示部の内側にメニューを挟んで表示する。
【０００３】
メニューを表示部で挟むのではなく、角柱体の立て台の上面の中央に、挿入溝を長手に沿って穿設し、挿入溝にメニューの下端を挿入するメニュー立ても提案されている（たとえば、特許文献１参照）。立て台は、花崗岩や大理石等の自然石で形成し、重いので、メニューを手に持つと、立て台から容易に外すことができる。
【先行技術文献】
【特許文献】
【０００４】
【特許文献１】登録実用新案第３０６０３６９号公報
【非特許文献】
【０００５】
【非特許文献１】オープン工業株式会社、「ＣＨ−２０  ＰＥＴ  サインスタンド  Ｔ型」、インターネット<http://open-k.co.jp/goods/CD_PETSST_CH-20.html>
【発明の概要】
【発明が解決しようとする課題】
【０００６】
非特許文献１のカード立てでは、メニューを目に近付けるためには、カード立てとともに手に持って移動させる必要がある。しかしながら、表示部の下端を外側に曲げてＴ字形状の横部分を形成する際に、精度を高めることが困難で、逆Ｔ字状に立てる際に安定しにくいばかりではなく、２つ以上並べると高さがそろわず、不細工感や違和感を生じさせることがある。さらに、支持部は表示部と同じプラスチック板を曲げて形成しているだけなので、外観状の厚さは薄く、安定感があるように見えにくい。
【０００７】
特許文献１のメニュー立てでは、メニューが露出し、特に持上げる際には直接手などに触れるので、メニューが汚れるおそれがある。また、メニューを立てて表示する際には、メニュー自身が自立する必要があり、薄い印刷物や布などを直接表示することができない。メニューの裏側に厚紙や板などを補強すると、自立は可能となるけれども、温度や湿度が加わると膨張の違いで反ったり曲ったりするおそれがある。
【０００８】
本発明の目的は、簡単な構造で、印刷物や布などのサインを立てた状態で表示可能にし、かつ汚れにくいサイン立てを提供することである。
【課題を解決するための手段】
【０００９】
本発明は、透明な矩形板を二つ折りした状態で、二つ折り部が上端となるように立てて用いられ、折り曲げた内部で表示すべきサインを保持する表示部材と、
表示部材を立てた状態で下端側を支持する支持部材と、
からなることを特徴とするサイン立てである。
【００１０】
また本発明で、前記表示部材は、折り曲げた状態で内部となる面に、前記サインに関連する表示を有する、
ことを特徴とする。
【００１１】
また本発明で、前記表示部材の前記内面に有する表示は、下地としての布目または木目の印刷、または金属箔の転写で形成される、
ことを特徴とする。
【発明の効果】
【００１２】
本発明によれば、透明な矩形板を二つ折りした状態で、二つ折り部が上端となるように立てて用いる表示部材は、折り曲げた内部で印刷物や布などのサインを保持するので、汚れ難くすることができる。表示部材を立てた状態で下端側を支持部材によって支持するので、表示部材の下端を外側に曲げて支持する場合のような問題が生じることがなく、簡単な構造で、サインを立てた状態で表示することができる。
【００１３】
また本発明によれば、表示部材は、折り曲げた状態で内部となる面に、サインに関連する表示を有するので、サインとして共通の部分は表示部材で表示し、サインの表示対象を簡略化することができる。
【００１４】
また本発明によれば、サインの下地としての布目または木目を表示部材に印刷し、または枠などを金属箔で転写して共通に利用し、個別のサインに必要な表示対象の面積を削減することができる。
【図面の簡単な説明】
【００１５】
【図１】図１は、本発明の実施例１としてのサイン立て１の概略的な構成を示す正面図および右側面図である。
【図２】図２は、図１のサイン立て１に用いる表示部材２の正面図および右側面図である。
【図３】図３は、図１のサイン立て１に用いる支持部材３の平面図、正面図および右側面図である。
【図４】図４は、図２の表示部材２の内部でサイン４を表示する状態を示す正面図および右側面図である。
【図５】図５は、本発明の実施例２としてのサイン立てに用いる表示部材２の概略的な構成を示す正面図および右側面図である。
【図６】図６は、本発明の実施例３としてのサイン立て１１の概略的な構成を示す正面図および右側面図である。
【図７】図７は、図６のサイン立て１１に用いる支持部材１３の平面図である。
【発明を実施するための形態】
【００１６】
以下、図１〜図４で、本発明の実施例１としてのサイン立て１について説明する。図５では、本発明の実施例２について説明する。図６および図７では、本発明の実施例３について説明する。各実施例について、対応する部分には同一の参照符を付し、重複する説明は省略する。また説明の便宜上、説明対象の図には記載されていない部分について、他の図に記載される参照符を付して言及する場合がある。
【実施例１】
【００１７】
図１は、本発明の実施例１としてのサイン立て１の概略的な構成を、（ａ）の正面図、および（ｂ）の右側面図でそれぞれ示す。サイン立て１は、大略的に矩形板状の表示部材２と、正面から見ると角柱状の支持部材３とからなる。表示部材２は、たとえばアクリル樹脂の透明な矩形板を二つ折りした状態で、二つ折り部２ａが上端となるように立てて用いられ、折り曲げた内部で、後述するように表示すべきサイン４を保持して表示する。支持部材３は、透明アクリル樹脂などを使用し、表示部材２を立てた状態で下端部２ｂ側を支持する。透明な矩形板を二つ折りした状態で、二つ折り部２ａが上端となるように立てて用いる表示部材２は、折り曲げた前面側２ｃと後面側２ｄとに挟まれる内部で印刷物や布などのサイン４を保持するので、汚れにくくすることができる。支持部材３は、前側３ａおよび後側３ｂに別れる。前側３ａおよび後側３ｂは、表示部材２の下端部２ｂ側で、前面側２ｃおよび後面側２ｄにそれぞれ接合され、表示部材２を立てた状態で支持するので、簡単な構造で、サインを立てた状態で表示することができる。
【００１８】
表示部材２としては、ポリエチレンテレフタレート（ＰＥＴ）樹脂、ポリ塩化ビニル樹脂などを使用することもできる。支持部材３としては、着色アクリル樹脂や他の樹脂材、木材、石材、金属材、セラミック材、ガラス材などを使用することもできる。表示部材２と支持部材３との接合は、接着剤や粘着剤を用いて行う。両面粘着テープを介在させて粘着させてもよい。支持部材３として樹脂材を用いる場合は、溶剤、加熱、超音波などを用いて自己融着させることもできる。このように表示部材２と支持部材３とを接合すれば、表示部材２を樹脂板として製造する段階で厚みが変動しても、変動の影響を受けないようにすることができる。
【００１９】
（ａ）に示すように、支持部材３の長さは、表示部材２の短辺の長さと同一にしている。ただし、（ｂ）の右側面図では横方向で示す幅方向では、前側３ａの幅を後側３ｂの幅よりも長くして、支持部材３として背面側にあまり出ないようにしている。前側３ａの幅を後側３ｂの幅と同程度にして、幅方向の中央付近の位置で表示部材２の下端部２ｂを支持すれば、より安定な支持が可能となる。支持部材３の長さは、表示部材２の短辺の長さと同一でなくてもよい。たとえば、支持部材３の長さを短辺よりも長くすれば、サイン立て１として、より安定に支持することができる。支持部材３の前側３ａと後側３ｂとは、表示部材２の下端部２ｂ側に接合した状態で、下面が同一平面となるようにしておけばよい。表示部材２を二つ折りした状態では、下端部２ｂで前面側２ｃと後面側２ｄとの長さにずれ生じるおそれがある。ずれは、長い方の端面をプレーナーで削れば解消させることができる。また、前面側２ｃの前面と前側３ａの後面との接合、および後面側２ｄの後面と後側３ｂの前面との接合をずらして行えば、二つ折りのずれを解消させて、安定な支持を行うことができる。
【００２０】
図２は、図１のサイン立て１に用いる表示部材２の構造を、（ａ）の正面図および（ｂ）の右側面図で示す。表示部材２は、透明な樹脂板を二つ折り部２ａで折り曲げた形状を有する。アクリル樹脂であれば、平坦な板材を、加熱しながら精度良く二つ折りすることができる。射出成型で二つ折りの形状に直接成型することもできる。二つ折りして上端を二つ折り部２ａとすると、下端部２ｂは樹脂板の端部間が開放される。開放されている下端部２ｂは、たとえば支持部材３の高さの半分程度となる底の部分を接着しておくこともできる。
【００２１】
図３は、図１のサイン立て１に用いる支持部材３の構造を、（ａ）の平面図、（ｂ）の正面図および（ｃ）の右側面図で示す。支持部材３を用いるので、サイン立て１としての重心が低くなり、倒れにくくなるとともに、外観上も安定する。
【００２２】
図４は、図２の表示部材２の内部でサイン４を表示する状態を、（ａ）の正面図および（ｂ）の右側面図で示す。サイン４として、本尊などの絵柄４ａを金襴などの布の下地４ｂに表示し、絵柄４ａの周囲に金属箔の転写などによる枠４ｃを関連して表示すると、掛け軸と同様な表示を行うことができる。掛け軸と同様に、紙で裏打ちすることもできる。このような布地のサイン４を表示部材２の前面側２ｃと後面側２ｄとの内部に挟んで収容するので、支持部材３で下方から支持すれば、立てた状態で表示することができる。なお、下地４ｂとしては、布目や木目を用いることもでき、装飾的な模様を用いることもできる。
【００２３】
表示部材２の下端部２ｂで底の部分を接着しなければ、サイン４は下端部２ｂを開いて容易に出し入れすることができる。下端部２ｂを接着している場合でも、表示部材２の側方からサイン４を出し入れすることが可能である。表示部材２を持ち上げれば支持部材３も離れずに持ち上げられ、サイン４を目の前で見ることができる。
【００２４】
このような仏画をサイン４として表示すると、掛け軸を吊す代りに、立てて表示することができ、仏壇、特に、洋風の部屋に合わせた仏壇などでも、違和感なく使用することができる。特に、サイン立て１は高精度に高さを揃えることができ、本尊や脇仏などを２つ以上並べても、不細工感や違和感を生じさせることがない。
【００２５】
サイン４としては、メニューや名札など、従来からメニュー立て、サインスタンドなどで表示対象としているものを、同様に表示することもできる。写真や絵画、カレンダーなどを表示させることもできる。
【実施例２】
【００２６】
図５は、本発明の実施例２としてのサイン立てに、実施例１の支持部材２とともに用いる表示部材２の構造を、（ａ）の前面側２ｃ、および（ｂ）の後面側２ｄの正面図としてそれぞれ示す。本実施例では、図４のサイン４による掛け軸の表示のうちの下地４ｂと枠４ｃとを、表示部材２の後面側２ｄと前面側２ｃとについて、二つ折りで内側の面にそれぞれ付着させる。付着は、直接印刷したり、樹脂シートに印刷したものをインモールドで転写したり、インサートで樹脂シートとともに付着させたりして行うことができる。図４の絵柄４ａは、二つ折りの内側に挟む状態で枠４ｃの内側の下地４ｂ上に配置される位置となるように、紙や布などに印刷しておけばよい。
【実施例３】
【００２７】
図６は、本発明の実施例３としてのサイン立て１１の概略的な構成を、（ａ）の正面図、および（ｂ）の右側面図でそれぞれ示す。サイン立て１１は、表示部材２の下端部２ｂ側を、角柱状の支持部材１３で支持する。支持部材１３は、表示部材２の下端部２ｂが嵌合される溝１３ａを上部に有し、表示部材２を立てた状態で支持する。溝１３ａの幅は、表示部材２の下端部２ｂの厚さよりも少しだけ広い程度とし、嵌合している状態で、下端部２ｂが溝１３ａから離脱し難いことが好ましい。表示部材２の二つ折りの間に挟むサイン４とともに複数枚の紙や布を使用し、厚さを調整すれば、表示部材２を樹脂板として製造する段階で厚みが変動しても、変動の影響を受けないようにすることができ、離脱し難くすることができる。サイン４も複数枚用意しておけば、サイン４を交換して異なる表示を行わせることができる。また、サイン４の表面側と裏面側との両側に印刷または金属箔の転写を行えば、表裏の反転で異なる表示を行わせることができ、そのようなサイン４を複数枚用意しておけば、さらに多くの異なる表示を行わせることができる。使用しないサイン４は、使用するサイン４の裏側で支持および保持するので、保管の手間を省くことができる。
【００２８】
（ａ）に示すように、支持部材１３の長さは、表示部材２の短辺の長さと同一にしている。ただし、（ｂ）の右側面図では横方向で示す幅方向では、溝１３ａを設ける位置を、背面側に近付けて、支持部材１３が背面側にあまり出ないようにしている。幅方向の中央付近の位置に溝１３ａを設ければ、より安定な支持が可能となる。支持部材１３の長さは、表示部材２の短辺の長さと同一でなくてもよい。たとえば、支持部材１３の長さを短辺よりも長くすれば、サイン立て１１として、より安定に支持することができる。
【００２９】
図７は、図６のサイン立て１１に用いる支持部材１３の構造を、平面図として示す。正面図および右側面図での構造は、図６（ａ）および（ｂ）に示されている。支持部材１３の上部に設ける溝１３ａには、表示部材２の下端部２ｂが嵌合する。支持部材１３は、透明または不透明な樹脂材料で形成し、溝１３ａは切削加工で形成したり、または全体の成型時に同時に形成したりすることができる。支持部材１３を用いるので、サイン立て１としての重心が低くなり、倒れにくくなるとともに、外観上も安定する。下端部２ｂは溝１３と接合しないで、嵌合のみで機械的に保持させることもでき、この場合はサイン４を下端部２ｂから容易に出し入れすることができる。下端部２ｂを溝１３と接合しても、サイン４を表示部材２の側方から出し入れすることは可能である。
【符号の説明】
【００３０】
１，１１  サイン立て
２  表示部材
２ａ  二つ折り部
２ｂ  下端部
２ｃ  前面側
２ｄ  後面側
３，１３  支持部材
３ａ  溝前側
３ｂ  後側
４  サイン
４ａ  絵柄
４ｂ  下地
４ｃ  枠
１３ａ  溝
【図１】
2016188928.tif 000003
【図２】
2016188928.tif 000004
【図３】
2016188928.tif 000005
【図４】
2016188928.tif 000006
【図５】
2016188928.tif 000007
【図６】
2016188928.tif 000008
【図７】
2016188928.tif 000009